(57)【要約】【課題】コンプレッサ部をコンパクト化しつつ、過給効率も優れた排気ターボ過給機を提供する。【解決手段】排気ターボ過給機は、コンプレッサハウジング５と中間ハウジング６とを有しており、コンプレッサハウジング５には、フランジ部２２ａを有するシュラウド２２が嵌め込み装着されている。コンプレッサ室２３とディフューザ部２５とは、シュラウド２２と中間ハウジング６との間に形成されて、コンプレッサ側スクロール空間２４は、コンプレッサハウジング５とシュラウド２２との間に形成されている。ディフューザ部２５は等しい溝幅のカール部２５ａを有しており、カール部２５ａがコンプレッサ側スクロール空間２４に滑らかに連続している。吸気の流れがスムースであるため、吸気の運動エネルギを有効利用して速やかに排出できる。【選択図】図３
2018053838.tif 000002
【特許請求の範囲】
【請求項１】
タービンに連結されたコンプレッサが回転自在に配置されていて吸気が軸方向に流入するコンプレッサ室と、前記コンプレッサの外周外側に形成された略環状のコンプレッサ側スクロール空間と、前記コンプレッサ室からコンプレッサ側スクロール空間に吸気を導くリング状のディフューザ部とを有しており、
前記コンプレッサ側スクロール空間は、前記ディフューザ部よりも吸気流入方向と反対側に位置していて、前記ディフューザ部の外周とコンプレッサ側スクロール空間の外周とが連続している構成であって、
コンプレッサハウジングとこれにタービンの側から重なった中間ハウジング、及び、前記ハウジングに中間ハウジングの側から嵌着したシュラウドとを有していて、前記シュラウドは、前記ハウジングの内周に嵌まる筒部と、前記中間ハウジングと対向するフランジとを有しており、
前記コンプレッサ室は前記シュラウドと中間ハウジングとの間に形成されて、前記ディフューザ部は前記シュラウドと中間ハウジングとの間に形成され、更に、前記コンプレッサ側スクロール空間は、前記ハウジングとシュラウドのフランジとで形成されており、
かつ、前記ディフューザ部は、コンプレッサ側スクロール空間の外周面と略平行な方向に開口するように湾曲したカール部を有しており、前記カール部を等しい溝幅に設定している、
排気ターボ過給機。
【請求項２】
前記コンプレッサ側スクロール空間は、始端から終端に向けて断面積が徐々に拡大しており、中間ハウジングの側に位置した内側面は、始端部では全体が曲面で、終端に向かう途中から平坦面に変化しており、前記平坦面の幅は終端に向けて拡大している、
請求項１に記載した排気ターボ過給機。
【発明の詳細な説明】
【技術分野】
【０００１】
本願発明は、自動車用等の内燃機関に設ける排気ターボ過給機に関するものである。
【背景技術】
【０００２】
排気ターボ過給機は、排気ガスで駆動されるタービンによってコンプレッサを回転させるもので、タービンとコンプレッサとは回転軸によって連結されており、排気ガスは、タービンに対しては周方向から流入して軸方向に排出される一方、吸気は、コンプレッサに対して、軸方向から流入して周方向（接線方向）に排出される。
【０００３】
コンプレッサはコンプレッサ室に配置されており、コンプレッサ室の外周の外側にコンプレッサ側スクロール空間が形成されており、コンプレッサ室とコンプレッサ側スクロール空間とは、リング状のディフューザ部を介して連通しており、吸気は、コンプレッサによって付与された遠心力により、ディフューザ部からコンプレッサ側スクロール空間に流入しており、コンプレッサ側スクロール空間では周方向に向きを変えて出口から排出されている。
【０００４】
そして、排気ターボ過給機は、一般に、タービンが配置されたタービンハウジングと、コンプレッサが配置されたコンプレッサハウジングと、両者の間に位置した中間ハウジング（軸受けハウジング）とを有しており、コンプレッサハウジングと中間ハウジングとの間に、コンプレッサ室やディフューザ部が直接に又は他の部材を介して形成されている。
【０００５】
ディフューザ部やコンプレッサ室は、コンプレッサハウジングと中間ハウジングとで直接形成することも可能ではあるが、精度や加工性の面から、特許文献１に開示されているように、コンプレッサハウジングに、筒部とフランジ部とを有するシュラウドを装着して、このシュラウドと中間ハウジングとの間にコンプレッサ室及びディフューザ部を形成して、コンプレッサハウジングとシュラウドとの間にコンプレッサ側スクロール空間を形成していることが多い。
【０００６】
他方、特許文献２では、コンプレッサハウジングと中間ハウジングとの間に取付けプレートを配置して、コンプレッサ室とディフューザ部とは、コンプレッサハウジングと取付けプレートとの間に形成し、コンプレッサ側スクロール空間は、コンプレッサハウジングに形成している。
【先行技術文献】
【特許文献】
【０００７】
【特許文献１】特開２０１４−５８８８４号公報
【特許文献２】特開２０１０−３０３２４２号公報
【発明の概要】
【発明が解決しようとする課題】
【０００８】
さて、コンプレッサにおいては、既述のとおり、吸気は、ディフューザ部で遠心方向に流れてコンプレッサ側スクロール空間で周方向に方向変換するものであるため、吸気の方向変換ができるだけスムースに行われるように設計する必要がある。また、コンプレッサの仕事効率を高めるには、吸気の運動エネルギをできるだけ持続させるべきであり、そのためには、コンプレッサ側スクロール空間の直径はできるだけ小さいのが好ましく、このことはまた、軽量化による燃費向上という面でも有益である。
【０００９】
このような観点に立って特許文献１，２を観察すると、特許文献１では、ディフューザ部は、板に譬えると平な円板状になっているに過ぎないため、吸気がディフューザ部からコンプレッサ側スクロール空間に入るにおいて、吸気がコンプレッサ側スクロール空間の外周面に衝突する傾向を呈して、吸気の流れのスムース性が阻害されているのではないかと推測される。
【００１０】
この点、コンプレッサ側スクロール空間の直径を大きくすると、吸気がコンプレッサ側スクロール空間に外周に衝突する際の衝撃は小さくなるため、吸気の流れのスムース性は改善するが、かくすると、吸気の運動エネルギが低減するため効率の悪化につながると共に、排気ターボ過給機の重量増大も懸念される。
【００１１】
他方、特許文献２では、ディフューザ部の終端部は僅かにカールしているため、特許文献１に比べると吸気の流れはスムース化されていると推測される。しかし、カールの程度は僅かであり、吸気がコンプレッサ側スクロール空間の外周に衝突する傾向は依然として残っているため、吸気流のスムース化についてまだ改善の余地があると思料される。
【００１２】
更に、特許文献２では、ディフューザ部の終端は拡大しているため、吸気がコンプレッサ側スクロール空間に入りながら膨張して、吸気の運動エネルギが急速に低下するおそれがあり、すると、吸気が周方向に流れる強さが低下して、コンプレッサの仕事効率が低下するおそれがある。
【００１３】
更に、コンプレッサ側スクロール空間の断面形状を見ると、特許文献１，２とも、中間ハウジングの側の内側面は全周に亙って湾曲した曲面になっていると推測される。しかし、内側面が全周に亙って湾曲していると、吸気が、コンプレッサ側スクロール空間において、回転軸の軸心と直交した方向に旋回する傾向を呈すると推測され（つまり、旋回流を形成してコンプレッサ側スクロール空間の周方向に流れると推測される）、すると、吸気が無駄な動きをしてコンプレッサ側スクロール空間から逃げ性が悪化して、効率低下を招来する可能性があると懸念される。
【００１４】
本願発明はこのような現状に鑑み成されたものであり、コンプレッサ部について改良された排気ターボ過給機を提供せんとするものである。
【課題を解決するための手段】
【００１５】
本願発明の排気ターボ過給機は、
タービンに連結されたコンプレッサが回転自在に配置されていて吸気が軸方向に流入するコンプレッサ室と、前記コンプレッサの外周外側に形成された略環状のコンプレッサ側スクロール空間と、前記コンプレッサ室からコンプレッサ側スクロール空間に吸気を導くリング状のディフューザ部とを有しており、
前記コンプレッサ側スクロール空間は、前記ディフューザ部よりも吸気流入方向と反対側に位置していて、前記ディフューザ部の外周とコンプレッサ側スクロール空間の外周とが連続している、という基本構成である。
【００１６】
そして、上記基本構成において、
コンプレッサハウジングとこれにタービンの側から重なった中間ハウジング、及び、前記ハウジングに中間ハウジングの側から嵌着したシュラウドとを有していて、前記シュラウドは、前記ハウジングの内周に嵌まる筒部と、前記中間ハウジングと対向するフランジとを有しており、
前記コンプレッサ室は前記シュラウドと中間ハウジングとの間に形成されて、前記ディフューザ部は前記シュラウドと中間ハウジングとの間に形成され、更に、前記コンプレッサ側スクロール空間は、前記ハウジングとシュラウドのフランジとで形成されており、
かつ、前記ディフューザ部は、コンプレッサ側スクロール空間の外周面と略平行な方向に開口するように湾曲したカール部を有しており、前記カール部を等しい溝幅に設定している。
【００１７】
本願発明は、様々な構成を含んでいる。その例として請求項２では、
前記コンプレッサ側スクロール空間は、始端から終端に向けて断面積が徐々に拡大しており、中間ハウジングの側に位置した内側面は、始端部では全体が曲面で、終端に向かう途中から平坦面に変化しており、前記平坦面の幅は終端に向けて拡大している。
【発明の効果】
【００１８】
本願発明では、コンプレッサ側スクロール空間はコンプレッサハウジングとシュラウドとで形成しているため、コンプレッサハウジングを鋳造品としてこれにコンプレッサ側スクロール空間を形成した場合に比べて、コンプレッサ側スクロール空間の形成が容易で精度も安定させることができる。コンプレッサハウジングとシュラウドとは、ダイキャスト品や樹脂成形品を使用することも可能になるため、寸法精度と製造コストの面でも有利である。
【００１９】
そして、本願発明では、ディフューザ部のうち少なくとも外周部がカール部になっているため、吸気の流れがカール部によってガイドされるが、カール部は、コンプレッサ側スクロール空間の外周面と略平行な方向に開口しているため、コンプレッサ側スクロール空間の直径をできるだけ小さくしつつ、カール部から排出された吸気は、コンプレッサ側スクロール空間の外周面に沿って流れるようにスムースにガイドされる。
【００２０】
従って、吸気がディフューザ部からコンプレッサ側スクロール空間に移行するに当たっての吸気の流れが非常にスムースとなる。その結果、吸気がコンプレッサ側スクロール空間を周方向に流れるように方向変換することを円滑化して、コンプレッサ部をできるだけコンパクト化しつつ圧縮効率を向上することに貢献でき、延いては、燃費の向上にも貢献できる。
【００２１】
また、ディフューザ部は全体にわたって等しい溝幅になっているため、コンプレッサ側スクロール空間に向けて速い流速で流れ込んで、その運動エネルギをコンプレッサ側スクロール空間で周方向に向かう流れに使用できる。このため、コンプレッサ側スクロール空間の内部で吸気の流れをできるだけ高速化して、過給効率を向上させることができる。
【００２２】
請求項２の構成を採用すると、コンプレッサ側スクロール空間の内側面は、始端から途中までは湾曲した曲面になっているため、流入した空気を旋回させて流れ抵抗を抑制できる一方、途中から平坦面になっているため、コンプレッサ側スクロール空間に吸気の旋回流が形成されることを大きく抑制でき、かつ、生成された旋回流も途中で消滅する。従って、吸気の運動エネルギが無駄に消費されることを防止して、吸気を速やかに排出できる。従って、過給効率の向上に貢献できる。
【図面の簡単な説明】
【００２３】
【図１】実施形態の全体的な縦断正面図である。
【図２】実施形態の分離縦断正面図である。
【図３】（Ａ）は要部拡大図、（Ｂ）は更に（Ａ）の要部拡大図である。
【発明を実施するための形態】
【００２４】
(1).概要
次に、本願発明の実施形態を図面に基づいて説明する。まず、排気ターボ過給機の概要を説明する。本実施形態では、方向を明確にするため前後・左右の文言を使用するが、これは、回転軸の長手方向を左右方向として、これと直交した水平方向を前後方向としている。念のため、図１に左右方向を明示している（前後方向は紙面と直交した方向である。）。
【００２５】
図１に示すように、排気ターボ過給機は、ブレード式のタービン１及びコンプレッサ２を備えており、両者は、水平姿勢の回転軸３で一体に固定されている。また、排気ターボ過給機は、タービンハウジング４とコンプレッサハウジング５、及び、両者の間に位置した中間ハウジング６とを有しており、タービンハウジング４と中間ハウジング６とは、アルミの鋳造品として一体に製造されている。コンプレッサハウジング５は、アルミのダイキャスト品又は鋳造品である（樹脂の成形品も採用可能である。）。
【００２６】
タービンハウジング４には、タービン１が回転自在に配置されたタービン室７と、タービン室７の外周部に連通したタービン側スクロール空間８とが形成されている。タービン側スクロール空間８は、始端の断面積が終端の断面積よりも大きくて環状に近い渦状になっており、その始端（上端）に、後ろ向きに開口した排気ガス導入通路（図示せず）が連通している。
【００２７】
図示していないが、入口筒部の後端にはフランジが形成されており、このフランジが、シンリダヘッド又は排気マニホールドに固定される。タービンハウジング４には、排気ガスを排出する筒状の排気出口９が、回転軸３の軸心方向に向けて開口している。また、タービン側スクロール空間８を囲うように冷却水ジャケットが形成されている。
【００２８】
中間ハウジング６には、回転軸３が回転自在に嵌まる軸受け部１１が形成されており、軸受け部１１に、オイル層を介して中空のフローティングメタル１２が配置されている。軸受け部１１の上部には、上下方向に貫通したオイル入口１３を形成し、軸受け部１１の下方には、空洞状のオイル出口空間１４が形成されている。軸受け部１１の左右両側方には、第１及び第２のオイル飛散空間１５が形成されており、オイル飛散空間１５はオイル出口空間１４と連通している。
【００２９】
図３（Ａ）に大きく示すように、回転軸３のうちコンプレッサハウジング５の側の端部には、金属製等の第１オイルシール１６を固定している。なお、第１オイルシール１６の断面表示（ハッチング）は省略している。また、中間ハウジング６の左端部は大きく開口しており、この大径の開口部にリテーナリング１８を固定し、リテーナリング１８と第１オイルシール１６との間に第２オイルシール１７を介在させている。第２オイルシール１７は第１オイルシール１６に固定されている。回転軸３の端部は、ナット１９でコンプレッサ２に固定されている。
【００３０】
(2).コンプレッサ部
コンプレッサハウジング５には吸気入口２１が軸方向に開口しており、この吸気入口２１に、フランジ部２２ａを有する筒状のシュラウド２２が、中間ハウジング６の側から挿入嵌着されており、シュラウド２２を中間ハウジング６で塞ぐことにより、コンプレッサ２を回転自在に配置するコンプレッサ室２３が形成されている。コンプレッサ２は良く知られたタイプであり、螺旋状で中間ハウジング６の側に向けて拡径した複数枚のブレードを有している。
【００３１】
また、コンプレッサハウジング５とシュラウド２２のフランジ部２２ａとにより、略環状のコンプレッサ側スクロール空間２４が形成されており、コンプレッサ室２３とコンプレッサ側スクロール空間２４とは、リング状のディフューザ部２５によって連通している。ディフューザ部２５は、シュラウド２２のフランジ部２２ａと中間ハウジング６とによって形成されている。コンプレッサ側スクロール空間２４の内周で、最も内径が小さい部分に、コンプレッサハウジング５とシュラウド２２との合わせ面が位置している。
【００３２】
図１，２に示す符号２６は、コンプレッサ側スクロール空間２４の終端に連通した吸気吐出口であり、コンプレッサハウジング５に一体に又は別体に設けている。符号５ａで示すのは、ダイヤフラム式アクチェータの取り付けボスである。
【００３３】
中間ハウジング６のうちタービンハウジング４と反対側の端部は、コンプレッサハウジング５に形成した筒部によって外側から抱持されており、両者の間には、弾性変形して縮径するＣ形のストッパーリング２７が介在している。このストッパーリング２７により、コンプレッサハウジング５と中間ハウジング６とは抜け不能に保持されている。
【００３４】
コンプレッサ側スクロール空間２４は、始端から終端に向けて断面積が拡大しており、拡大した終端に形成した通路に吸気吐出口２６が接続されている。そして、コンプレッサ側スクロール空間２４の断面形状は、中間ハウジング６の側に位置した側の幅が大きくて、中間ハウジング６と反対側の幅が小さくなるように窄まっている。従って、コンプレッサ側スクロール空間２４は、おおまかには、半径方向の幅に対して軸方向の長さ（高さ）が大きい銅鐸形の断面形状になっており、中間ハウジング６と反対側の外側面２８は、全周にわたって内向き凹状に湾曲した曲面になっている。
【００３５】
また、コンプレッサ側スクロール空間２４の内周面２９は、平坦な断面となっており、軸心と平行な線に対して傾斜している。その傾斜角度θ１は、終端に向けて小さくなっている。外周面３０は、全周に亙って平坦面になっている。外周面３０は、軸心と平行な線に対して僅かに内向き傾斜しているが、傾斜角度θ２は、全周にわたってほぼ同じになっている。内周面２９と外周面３０は、外側面２８に滑らかに連続している（従って、境界部は必ずしも明確でない。）。
【００３６】
コンプレッサ側スクロール空間２４のうち、中間ハウジング６の側に位置した内側面３１は、コンプレッサ側スクロール空間２４の始端からある程度の範囲では、内向きに凹に湾曲した曲面になっており、始端からある程度を越えると平坦になっており、内側面３１は内周面２９と滑らかに連続している。
【００３７】
既述のとおり、シュラウド２２のフランジ部２２ａと中間ハウジング６との間に、コンプレッサ２の回転によって吸気をコンプレッサ側スクロール空間２４に送り込むディフューザ部２５が形成されている。従って、シュラウド２２のフランジ部２２ａは、コンプレッサ側スクロール空間２４とディフューザ部２５とを隔てる隔壁になっている。
【００３８】
ディフューザ部２５は、内周から外周に向かう途中で方向変換して、コンプレッサ側スクロール空間２４の側に向けて曲がるように滑らかに湾曲したカール部２５ａを有する。そして、ディフューザ部２５は、カール部２５ａに至るまでは、溝幅ｅが内周部から外周に向けて僅かに縮小しているが、カール部２５ａでは、殆どその全体に亘って溝幅ｅは等しくなっている。かつ、カール部２５ａは、ほぼ、コンプレッサ２の回転軸心の方向（中間ハウジング６と反対の方向）に向けて開口している。念のため、開口方向を図３（Ｂ）に矢印３２で示している。
【００３９】
ディフューザ部２５がカール部２５ａを有していることから、シュラウド２２におけるフランジ部２２ａの先端部もカール状縁部３３になっている。カール状縁部３３は、先端に向けて厚さが小さくなるように設定している。また、シュラウド２２のフランジ部２２ａは、基端から先端に向けて厚さが徐々に小さくなっている。なお、図では明瞭に示していないが、コンプレッサ２とシュラウド２２及び中間ハウジング６との間には、僅かながらクリアランスを設けている。
【００４０】
以上の構成において、コンプレッサハウジング５及びシュラウド２２は、ダイキャストなどによって製造可能であり、高い寸法精度に製造できる。このため、コンプレッサ側スクロール空間２４やディフューザ部２５も、高い寸法で安定化できる。なお、シュラウド２２は合成樹脂製とすることも可能であり、この場合は軽量化できる利点もある。
【００４１】
そして、ディフューザ部２５に流入した吸気は、遠心方向に移動してから、カール部２５ａを経由して滑らかに方向変換するが、カール部２５ａはほぼ軸線方向に開口しているため、コンプレッサ側スクロール空間２４の外周面３０にスムースに案内される。従って、吸気が外周面３０に衝突して乱流が発生するようなことはなくて、吸気はコンプレッサ側スクロール空間２４にスムースに流入する。従って、コンプレッサ側スクロール空間２４内での吸気の流れを円滑化して、コンプレッサ部をできるだけコンパクト化しつつ圧縮効率の向上に貢献でき、延いては、燃費の向上にも貢献できる。
【００４２】
コンプレッサ側スクロール空間２４に流入した吸気は、図３（Ａ）（Ｂ）に曲がった矢印で示すように、コンプレッサ側スクロール空間２４の内面の沿って流れるため、旋回する傾向を呈する。この場合、断面積が小さい箇所では、コンプレッサ側スクロール空間２４に流入した吸気はすぐに内側面に３１に至るため、旋回流になる傾向が高い。
【００４３】
従って、吸気が内側面３１に衝突して乱流が生じるようなことはなく、むしろ、コンプレッサ側スクロール空間２４で生成された旋回流が、吸気がコンプレッサ側スクロール空間２４に流入することを助長するように作用を果たしている。従って、コンプレッサ側スクロール空間２４への吸気の流入も、コンプレッサ側スクロール空間２４に流入した後の流れもスムースである。
【００４４】
他方、コンプレッサ側スクロール空間２４の内側面３１が平坦面であると、コンプレッサ側スクロール空間２４の内部で吸気が旋回流を生成する機能は低下するが、コンプレッサ側スクロール空間２４の断面積がある程度まで大きくなると、吸気が旋回しようとする傾向は低下して、周方向にスムースに方向変換する。従って、吸気の運動エネルギを周方向の流れとして利用して、吸気を速やかに排除できる。
【００４５】
更に、内側面３１を平坦面に形成すると、コンプレッサ側スクロール空間２４をできるだけディフューザ部２５の側に寄せつつ、内周面２９を軸心側に寄せることができるため、コンプレッサ側スクロール空間２４をコンパクト化することができる。つまり、吸気のスムースな流れを確保しつつ、コンプレッサ側スクロール空間２４の外径は変えずに内径を小さくすることにより、コンプレッサ側スクロール空間２４の断面積を徐々に拡大することができる。これにより、過給効率を高めつつコンパクト化することができる。
【００４６】
以上、本願発明の実施形態を説明したが、本願発明は、他にも様々に具体化することができる。例えば、コンプレッサ側スクロール空間２４の外周面３０に平坦面を形成することも可能である。敢えて述べることはないが、タービンハウジングと中間ハウジングとは別体であってもよい。ディフューザ部におけるカール部の範囲は、必要に応じて任意に設定できる。例えば、全体がカール部になっていてもよいし、外周側の半分程度がカール部になっていてもよい。
【産業上の利用可能性】
【００４７】
本願発明は、実際に排気ターボ過給機に具体化できる。従って、産業上利用できる。
【符号の説明】
【００４８】
１  タービン
２  コンプレッサ
３  回転軸
５  コンプレッサハウジング
６  中間ハウジング
１１  軸受け部
２１  吸気入口
２２  シュラウド
２２ａ  フランジ部
２３  コンプレッサ室
２４  コンプレッサ側スクロール空間
２５  ディフューザ部
２５ａ  カール部
２６  吸気吐出口
２８  コンプレッサ側スクロール空間の外側面
２９  コンプレッサ側スクロール空間の内周面
３０  コンプレッサ側スクロール空間の外周面
３１  コンプレッサ側スクロール空間の内側面
３３  カール状縁部
【図１】
2018053838.tif 000003
【図２】
2018053838.tif 000004
【図３】
2018053838.tif 000005